(57)【要約】【課題】ＣＳフォールバックを行う際、通話開始までのユーザの待ち時間を低減する移動通信端末装置及び無線通信方法を提供する。【解決手段】移動通信端末１０４がＰＳ網基地局１０１に接続中、ユーザ入力部２０１が電話番号の入力中であることを入力検出部２０２が検出すると（ＳＴ３０１）、セル切替実行部２０４はＰＳ網基地局１０１に対してハンドオーバ要求を行う（ＳＴ３０２）。ＰＳ網基地局１０１は、移動通信端末１０４に対してＣＳ網基地局１０２へのハンドオーバを指示する（ＳＴ３０３）。セル切替実行部２０４は、ＣＳ網基地局１０２へのハンドオーバを実施する（ＳＴ３０４）。入力検出部２０２がユーザ入力部２０１による電話番号の入力完了を検出すると（ＳＴ３０５）、セル切替実行部２０４はＣＳ網基地局１０２へ発呼の要求を行う（ＳＴ３０６）。【選択図】図３
2011188017.tif 000002
【特許請求の範囲】
【請求項１】
ユーザによる電話番号の入力を検出する入力検出手段と、
パケット交換網に接続中に、電話番号の入力中であることが前記入力検出手段によって検出された場合、回線交換網へのハンドオーバを実行するセル切替手段と、
を具備する移動通信端末装置。
【請求項２】
電話番号を記憶する記憶手段を具備し、
前記セル切替手段は、パケット交換網に接続中に、前記記憶手段に記憶された電話番号の選択中であることが前記入力検出手段によって検出された場合、回線交換網へのハンドオーバを実行する請求項１に記載の移動通信端末装置。
【請求項３】
前記セル切替手段は、パケット交換網の無線基地局に在圏中に、電話番号の入力中であることが前記入力検出手段によって検出された場合、セルセレクション・リセレクションにおける回線交換網への切り替えを促す優先度を高く設定する請求項１に記載の移動通信端末装置。
【請求項４】
前記セル切替手段は、パケット交換網の無線基地局に在圏中に、前記記憶手段に記憶された電話番号の選択中であることが前記入力検出手段によって検出された場合、セルセレクション・リセレクションにおける回線交換網への切り替えを促す優先度を高く設定する請求項２に記載の移動通信端末装置。
【請求項５】
ユーザによる電話番号の入力を検出する入力検出工程と、
パケット交換網に接続中に、電話番号の入力中であることが前記入力検出工程において検出された場合、回線交換網へのハンドオーバを実行するセル切替工程と、
を具備する無線通信方法。
【発明の詳細な説明】
【技術分野】
【０００１】
本発明は、回線交換方式とパケット交換方式とを切り替える移動通信端末装置及び無線通信方法に関する。
【背景技術】
【０００２】
移動通信端末の音声通話サービスの方式としては、大きく分けて回線交換（ＣＳ:Circuit Switch）方式とパケット交換（ＰＳ:Packet Switch）方式がある。従来のＧＳＭ（Global System for Mobile communications）やＷ−ＣＤＭＡ（Wideband Code Division Multiple Access）等ではＣＳ方式が用いられてきたが、今後サービス開始が予定されているＬＴＥ（Long Term Evolution）やＬＴＥ−Ａｄｖａｎｃｅｄ等ではＰＳ方式が用いられることが想定されている。
【０００３】
ＬＴＥでは、何らかの理由により通信端末やネットワークがＰＳ方式の音声通話に対応できていない場合にも音声通話サービスを提供するための機能として、ＣＳフォールバック機能が用意されている。ＣＳフォールバック機能とは、通信網をＰＳ網からＣＳ網へ切り替え、ＣＳ方式で音声通話を行うための機能である。
【０００４】
非特許文献１には、ＬＴＥにおいてＣＳフォールバックを適用する際の、移動通信端末やネットワークの動作などが規定されている。移動通信端末がＣＳフォールバックを利用して音声通話を開始する際には、通信網の切り替えが必要となるため、通常の音声通話を開始する場合に比べて多くの手続きが必要となっている。
【０００５】
図１は、非特許文献１に開示のＣＳフォールバック処理を示すシーケンス図である。移動通信端末において、電話番号の入力完了を検出すると（ＳＴ１１）、移動通信端末はＰＳ網基地局に対してハンドオーバ（ＣＳフォールバック）の要求を行う（ＳＴ１２）。ＰＳ網基地局は、移動通信端末に対してハンドオーバの指示を行い（ＳＴ１３）、移動通信端末はＣＳ網基地局へのハンドオーバを実施する（ＳＴ１４）。ハンドオーバが完了すると、移動通信端末はＣＳ網において発呼を行う（ＳＴ１５）。
【先行技術文献】
【非特許文献】
【０００６】
【非特許文献１】3GPP Organizational Partners, “3GPP TS 23.272 V8.3.0 (2009-03) Circuit Switched Fallback in Evolved Packet System; Stage 2”, 2009
【発明の概要】
【発明が解決しようとする課題】
【０００７】
しかしながら、ＣＳフォールバックを利用して音声通話を開始する場合、ＰＳ網からＣＳ網への切り替えが必要となるため、通信網の切り替えが必要ない場合に比べて、通話開始までのユーザの待ち時間が長くなるという問題がある。
【０００８】
本発明の目的は、ＣＳフォールバックを行う際、通話開始までのユーザの待ち時間を低減する移動通信端末装置及び無線通信方法を提供することである。
【課題を解決するための手段】
【０００９】
本発明の移動通信端末装置は、ユーザによる電話番号の入力を検出する入力検出手段と、パケット交換網に接続中に、電話番号の入力中であることが前記入力検出手段によって検出された場合、回線交換網へのハンドオーバを実行するセル切替手段と、を具備する構成を採る。
【００１０】
本発明の無線通信方法は、ユーザによる電話番号の入力を検出する入力検出工程と、パケット交換網に接続中に、電話番号の入力中であることが前記入力検出工程において検出された場合、回線交換網へのハンドオーバを実行するセル切替工程と、を具備するようにした。
【発明の効果】
【００１１】
本発明によれば、ＣＳフォールバックを行う際、通話開始までのユーザの待ち時間を低減することができる。
【図面の簡単な説明】
【００１２】
【図１】非特許文献１に開示のＣＳフォールバック処理を示すシーケンス図
【図２】本発明の実施の形態１に係る移動通信システムの概略構成を示す図
【図３】図２に示した移動通信システムにおけるＣＳフォールバック処理を示すシーケンス図
【図４】本発明の実施の形態２に係る移動通信システムの概略構成を示す図
【図５】図４に示した移動通信システムにおけるＣＳフォールバック処理を示すシーケンス図
【図６】本発明の実施の形態３に係る移動通信システムにおけるＣＳフォールバック処理を示すシーケンス図
【発明を実施するための形態】
【００１３】
以下、本発明の実施の形態について、図面を参照して詳細に説明する。ただし、実施の形態において、同一機能を有する構成には、同一符号を付し、重複する説明は省略する。
【００１４】
（実施の形態１）
図２は、本発明の実施の形態１に係る移動通信システム１００の概略構成を示す図である。この図に示すように、移動通信システム１００は、ＰＳ網基地局１０１とＣＳ網基地局１０２とがネットワーク１０３を介して接続され、移動通信端末１０４がＰＳ網基地局１０１及びＣＳ網基地局１０２と無線通信を行う。
【００１５】
移動通信端末１０４は、ユーザ入力部２０１と、入力検出部２０２と、無線通信部２０３と、セル切替実行部２０４とを備える。
【００１６】
ユーザ入力部２０１は、ユーザが電話番号の入力を行う番号ボタンや、タッチパネル等であり、ユーザによって電話番号が入力中であることを入力検出部２０２に出力する。
【００１７】
入力検出部２０２は、ユーザ入力部２０１が電話番号の入力中及び入力完了を検出し、検出結果をセル切替実行部２０４に出力する。なお、電話番号の入力中とは、図示せぬ表示部等が電話番号入力画面となった場合や、電話番号入力画面が表示され、電話番号が所定の桁数入力された場合などが考えられる。
【００１８】
無線通信部２０３は、ＰＳ網基地局１０１及びＣＳ網基地局１０２との通信を行い、通信中の網がＰＳ網かＣＳ網かをセル切替実行部２０４に通知する。
【００１９】
セル切替実行部２０４は、無線通信部２０３からＰＳ網とＣＳ網のいずれに接続しているかを取得し、無線通信部２０３がＰＳ網に接続中に、入力検出部２０２から電話番号の入力中であることが通知された場合、無線通信部２０３を介してＰＳ網からＣＳ網へのハンドオーバ処理を実行する。
【００２０】
図３は、図２に示した移動通信システム１００におけるＣＳフォールバック処理を示すシーケンス図である。図３において、移動通信端末１０４がＰＳ網基地局１０１との接続中に音声通話を開始する際、ユーザ入力部２０１が電話番号の入力中であることを入力検出部２０２が検出すると（ＳＴ３０１）、セル切替実行部２０４は無線通信部２０３を介してＰＳ網基地局１０１に対してハンドオーバ要求を行う（ＳＴ３０２）。
【００２１】
ハンドオーバ要求を受けたＰＳ網基地局１０１は、移動通信端末１０４に対してＣＳ網基地局１０２へのハンドオーバ（ＣＳフォールバック）を指示する（ＳＴ３０３）。無線通信部２０３を介してハンドオーバ指示を受けたセル切替実行部２０４は、ＣＳ網基地局１０２へのハンドオーバ（ＣＳフォールバック）を実施する（ＳＴ３０４）。ハンドオーバ後、入力検出部２０２がユーザ入力部２０１による電話番号の入力完了を検出すると（ＳＴ３０５）、セル切替実行部２０４は無線通信部２０３を介して、ＣＳ網基地局１０２へ発呼の要求を行う（ＳＴ３０６）。
【００２２】
このように実施の形態１によれば、ＰＳ網との通信中にユーザからの電話番号の入力を検出した場合に、電話番号の入力完了を待たず、予めＰＳ網からＣＳ網へのハンドオーバを実施することにより、通話開始までのユーザの待ち時間を低減することができる。
【００２３】
（実施の形態２）
図４は、本発明の実施の形態２に係る移動通信システム４００の概略構成を示す図である。図４が図２と異なる点は、記憶部４０１を追加し、ユーザ入力部２０２をユーザ入力部４０２に変更した点である。
【００２４】
記憶部４０１は、過去の発信番号、過去の着信番号、電話帳等を記憶し、ユーザ入力部４０２によって電話番号が選択される。
【００２５】
ユーザ入力部４０２は、記憶部４０１に記憶された電話番号を選択し、電話番号を選択中であることを入力検出部２０２に通知する。
【００２６】
図５は、図４に示した移動通信システム４００におけるＣＳフォールバック処理を示すシーケンス図である。図５において、移動通信端末１０４がＰＳ網基地局１０１との接続中に音声通話を開始する際、ユーザ入力部４０２が記憶部４０１に記憶された電話番号の選択中であることを入力検出部２０２が検出すると（ＳＴ５０１）、セル切替実行部２０４は無線通信部２０３を介して、ＰＳ網基地局１０１に対してハンドオーバ要求を行う（ＳＴ５０２）。
【００２７】
ハンドオーバ要求を受けたＰＳ網基地局１０１は、移動通信端末１０４に対してＣＳ網基地局１０２へのハンドオーバを指示する（ＳＴ５０３）。無線通信部２０３を介してハンドオーバ指示を受けたセル切替実行部２０４は、ＣＳ網基地局１０２へのハンドオーバを実施する（ＳＴ５０４）。ハンドオーバ後、入力検出部２０２がユーザ入力部４０２による電話番号の選択の完了を検出すると（ＳＴ５０５）、セル切替実行部２０４は無線通信部２０３を介して、ＣＳ網基地局１０２へ発呼の要求を行う（ＳＴ５０６）。
【００２８】
このように実施の形態２によれば、ＰＳ網との通信中にユーザによって電話番号が選択されていることを検出した場合に、電話番号の選択完了を待たず、予めＰＳ網からＣＳ網へのハンドオーバを実施することにより、通話開始までのユーザの待ち時間を低減することができる。
【００２９】
（実施の形態３）
本発明の実施の形態３に係る移動通信システムは、実施の形態２の図４に示した構成と同様であり、一部の機能が異なるのみなので、異なる機能について図４を援用して説明する。
【００３０】
セル切替実行部２０４は、無線通信部２０３からＰＳ網とＣＳ網のいずれの基地局に在圏しているかを取得し、無線通信部２０３がＰＳ網基地局に在圏中に、入力検出部２０２から電話番号の選択中であることが通知された場合、セル選択においてＰＳ網への切り替え易さを示す優先度を低く設定するか、またはＣＳ網への切り替え易さを示す優先度を高く設定する。すなわち、優先度が高ければ、その網へ切り替わる可能性が高くなり、優先度が低ければ、その網へ切り替わる可能性が低くなる。
【００３１】
図６は、本発明の実施の形態３に係る移動通信システムにおけるＣＳフォールバック処理を示すシーケンス図である。
【００３２】
図６において、移動通信端末１０４がＰＳ網基地局１０１との接続中に音声通話を開始する際、ユーザ入力部４０２が記憶部４０１に記憶された電話番号を選択中であることを入力検出部２０２が検出すると（ＳＴ６０１）、セル切替実行部２０４はセル選択におけるＰＳ網の優先度を低く設定するか、またはＣＳ網の優先度を高く設定する。これにより、ＣＳ網への切り替えが可能な場合には、ＰＳ網基地局１０１からＣＳ網基地局１０２へのセルセレクション・セルリセレクションが発生する（ＳＴ６０２）。
【００３３】
セルセレクション・セルリセレクション実施後、入力検出部２０２が電話番号の選択完了を検出すると（ＳＴ６０３）、セル切替実行部２０４は無線通信部２０３を介して、ＣＳ網基地局１０２へ発呼の要求を行う（ＳＴ６０４）。
【００３４】
このように実施の形態３によれば、ＰＳ網基地局に在圏中にユーザによって電話番号が選択されていることを検出した場合に、ＰＳ網からＣＳ網への切り替えを促すようにセルセレクション・リセレクションにおけるＣＳ網の優先度を高く設定することにより、電話番号の入力完了時、または選択完了時に移動通信端末がＣＳ網に接続している可能性を高めることができる。この結果、通話開始までのユーザの待ち時間を低減することができる。
【００３５】
なお、本実施の形態において、電話番号を選択する場合について説明したが、実施の形態１に示したように、電話番号を入力する場合であってもよい。
【００３６】
また、実施の形態２及び実施の形態３における電話番号の選択は、広義の電話番号入力と解釈してもよい。
【産業上の利用可能性】
【００３７】
本発明にかかる移動通信端末装置及び無線通信方法は、ＣＳフォールバック機能を利用して音声通話を行う移動通信端末に対して有用である。
【符号の説明】
【００３８】
１０１  ＰＳ網基地局
１０２  ＣＳ網基地局
１０３  ネットワーク
１０４  移動通信端末
２０１、４０２  ユーザ入力部
２０２  入力検出部
２０３  無線通信部
２０４  セル切替実行部
４０１  記憶部
【図１】
2011188017.tif 000003
【図２】
2011188017.tif 000004
【図３】
2011188017.tif 000005
【図４】
2011188017.tif 000006
【図５】
2011188017.tif 000007
【図６】
2011188017.tif 000008